【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
通信装置であって、
第１通信方式により他の通信装置と無線通信を行う第１通信手段と、
前記第１通信方式より通信距離が長い又は通信速度が速い第２通信方式により前記他の通信装置と無線通信を行う第２通信手段と、
前記第２通信方式による前記他の通信装置との接続を要求するためのメッセージであって、前記第２通信方式による通信を伴う通信サービスの情報が含まれる要求メッセージを、前記第１通信手段を用いて送信する送信手段とを有し、
前記通信サービスの情報は、印刷サービス、画像送信サービス、動画再生サービス及び画像スキャンサービスのうちの少なくとも何れかの通信サービスの実行を前記他の通信装置に要求するための情報であることを特徴とする通信装置。
【請求項２】
前記第２通信手段は、前記要求メッセージに対する前記他の通信装置からの応答に含まれる接続パラメータを用いて前記他の通信装置と接続した後に前記通信サービスを実行するための通信を前記他の通信装置と行うことを特徴とする請求項１に記載の通信装置。
【請求項３】
前記要求メッセージには、複数の通信サービスの情報が含まれていることを特徴とする請求項１または２に記載の通信装置。
【請求項４】
前記要求メッセージには、前記通信装置が提供可能な通信サービスまたは利用可能な通信サービスの情報が含まれていることを特徴とする請求項１乃至３の何れか１項に記載の通信装置。
【請求項５】
前記要求メッセージに対する前記他の通信装置からの応答に基づいて、前記他の通信装置と前記第２通信手段により通信を行うか否かを判定する判定手段とを有することを特徴とする請求項１乃至４の何れか１項に記載の通信装置。
【請求項６】
前記判定手段は、前記要求メッセージに対する前記他の通信装置からの応答に、前記通信サービスの情報が示す前記通信サービスを前記他の通信装置が実行可能であることを示す情報が含まれている場合、前記第２通信手段により通信を行うと判定することを特徴とする請求項５に記載の通信装置。
【請求項７】
前記判定手段により前記第２通信手段による通信を行わないと判定された場合、ユーザに対してエラーを通知することを特徴とする請求項５または６に記載の通信装置。
【請求項８】
前記第１通信手段は、ＮＦＣ（Ｎｅａｒ  Ｆｉｅｌｄ  Ｃｏｍｍｕｎｉｃａｔｉｏｎ）により通信を行うことを特徴とする請求項１乃至７の何れか１項に記載の通信装置。
【請求項９】
前記第２通信手段は、ＩＥＥＥ８０２．１１シリーズに準拠した無線通信により通信を行うことを特徴とする請求項１乃至８の何れか１項に記載の通信装置。
【請求項１０】
前記要求メッセージは、ＮＦＣ  Ｆｏｒｕｍにて規定されるハンドオーバリクエストメッセージであることを特徴とする請求項１乃至９の何れか１項に記載の通信装置。
【請求項１１】
前記第２通信手段は、前記要求メッセージと当該要求メッセージに対する応答メッセージとの前記第１通信手段を用いた通信により共有された接続パラメータに基づいて、前記他の通信装置と接続し、
前記接続パラメータは、ＳＳＩＤ、暗号鍵、暗号方式、認証鍵、認証方式、ＭＡＣアドレスの少なくともいずれかが含まれることを特徴とする請求項１乃至１０の何れか１項に記載の通信装置。
【請求項１２】
前記要求メッセージには、前記第２通信方式を示す情報と前記通信サービスの情報とが含まれることを特徴とする請求項１乃至１１の何れか１項に記載の通信装置。
【請求項１３】
前記送信手段は、実行を要求する通信サービスが決定されている状態で前記第１通信手段により前記他の通信装置と通信を開始した場合、前記通信サービスの情報が含まれる前記要求メッセージを送信し、
実行を要求するサービスが決定されていない状態で前記第１通信手段により前記他の通信装置と通信を開始した場合、前記通信サービスの情報が含まれない前記要求メッセージを送信することを特徴とする請求項１乃至１２の何れか１項に記載の通信装置。
【請求項１４】
実行を要求するサービスが決定されていない状態で前記第１通信手段により前記他の通信装置と通信を開始し、前記通信サービスの情報が含まれない前記要求メッセージが前記送信手段により送信された後に、前記第２通信手段による前記他の通信装置との通信が開始された場合、前記第２通信手段による通信を用いて、前記他の通信装置と、実行可能なサービスを検索する検索処理を行う手段を更に有することを特徴とする請求項１３に記載の通信装置。
【請求項１５】
通信装置であって、
近接無線通信である第１通信方式により他の通信装置と無線通信を行う第１通信手段と、
前記第１通信方式より通信距離が長い又は通信速度が速い第２通信方式による接続を要求するためのメッセージであって、前記第２通信方式による通信を伴う印刷サービス、画像送信サービス、動画再生サービス及び画像スキャンサービスのうちの少なくとも何れかの通信サービスの情報が含まれる要求メッセージを前記第１通信手段により受信する受信手段と、
前記受信手段により受信された前記要求メッセージに含まれる前記通信サービスの情報が示す前記通信サービスの実行可否および前記第２通信方式による接続可否を示す情報が含まれる応答メッセージを前記第１通信手段により送信する送信手段と、を有することを特徴とする通信装置。
【請求項１６】
前記受信手段により受信された前記要求メッセージに含まれる前記通信サービスの情報が示す前記通信サービスを実行可能であること及び前記第２通信方式による接続が可能であることを示す情報が含まれる前記応答メッセージが前記送信手段により送信された場合、前記他の通信装置と、前記サービスを実行するための、前記第２通信方式による無線通信を行う第２通信手段と、を更に有することを特徴とする請求項１５に記載の通信装置。
【請求項１７】
前記第２通信方式による接続を要求するための要求メッセージであって、前記通信サービスの情報が含まれない要求メッセージが前記受信手段により受信された場合、前記送信手段は、通信サービスの実行可否を示す情報が含まれず、前記第２通信方式による接続可否を示す情報が含まれる応答メッセージを送信し、
前記通信サービスの情報が含まれる要求メッセージが前記受信手段により受信された場合、前記送信手段は、通信サービスの実行可否を示す情報及び前記第２通信方式による接続可否を示す情報が含まれる応答メッセージを送信することを特徴とする請求項１５または１６に記載の通信装置。
【請求項１８】
前記第２通信方式による接続を要求するための要求メッセージであって、前記通信サービスの情報が含まれない要求メッセージが前記受信手段により受信された場合、前記送信手段は、通信サービスの実行可否を示す情報が含まれず、前記第２通信方式による接続可否を示す情報が含まれる応答メッセージを送信し、
前記通信サービスの情報が含まれない要求メッセージが前記受信手段により受信され、前記応答メッセージが前記送信手段に送信された後に、前記第２通信手段による前記他の通信装置と通信が開始された場合、前記第２通信手段は、前記他の通信装置と、実行可能なサービスを検索する検索処理を行うことを特徴とする請求項１５乃至１７の何れか１項に記載の通信装置。
【請求項１９】
前記第１通信手段は、ＮＦＣ（Ｎｅａｒ  Ｆｉｅｌｄ  Ｃｏｍｍｕｎｉｃａｔｉｏｎ）により通信を行うことを特徴とする請求項１５乃至１８の何れか１項に記載の通信装置。
【請求項２０】
前記第２通信方式は、ＩＥＥＥ８０２．１１シリーズであることを特徴とする請求項１５乃至１９の何れか１項に記載の通信装置。
【請求項２１】
前記応答メッセージは、ＮＦＣ  Ｆｏｒｕｍにて規定されるハンドオーバセレクトメッセージであることを特徴とする請求項１５乃至２０の何れか１項に記載の通信装置。
【請求項２２】
第１通信装置と第２通信装置とが行う通信方法であって、
第１通信方式より通信距離が長い又は通信速度が速い第２通信方式による接続を要求するためのメッセージであって、前記第２通信方式による通信を伴う印刷サービス、画像送信サービス、動画再生サービス及び画像スキャンサービスのうちの少なくとも何れかの通信サービスの情報が含まれる要求メッセージを前記第１通信装置が前記第２通信装置に前記第１通信方式を用いて送信し、
前記要求メッセージに含まれる前記通信サービスの情報が示す前記通信サービスの実行可否および前記第２通信方式による接続可否を示す情報が含まれる応答メッセージを前記第２通信装置が前記第１通信装置に前記第１通信方式を用いて送信する
ことを特徴とする通信方法。
【請求項２３】
請求項１乃至２０の何れか１項に記載の通信装置としてコンピュータを動作させるためのプログラム。
【手続補正２】
【補正対象書類名】明細書
【補正対象項目名】０００７
【補正方法】変更
【補正の内容】
【０００７】
上記課題を解決するため、本発明の一態様による通信装置は、第１通信方式により他の通信装置と無線通信を行う第１通信手段と、前記第１通信方式より通信距離が長い又は通信速度が速い第２通信方式により前記他の通信装置と無線通信を行う第２通信手段と、前記第２通信方式による前記他の通信装置との接続を要求するためのメッセージであって、前記第２通信方式による通信を伴う通信サービスの情報が含まれる要求メッセージを前記第１通信手段を用いて送信する送信手段とを有し、前記通信サービスの情報は、印刷サービス、画像送信サービス、動画再生サービス及び画像スキャンサービスのうちの少なくとも何れかの通信サービスの実行を前記他の通信装置に要求するための情報であることを特徴とする。また、本発明の他の態様による通信装置は、近接無線通信である第１通信方式により他の通信装置と無線通信を行う第１通信手段と、前記第１通信方式より通信距離が長い又は通信速度が速い第２通信方式による接続を要求するためのメッセージであって、前記第２通信方式による通信を伴う印刷サービス、画像送信サービス、動画再生サービス及び画像スキャンサービスのうちの少なくとも何れかの通信サービスの情報が含まれる要求メッセージを前記第１通信手段により受信する受信手段と、前記受信手段により受信された前記要求メッセージに含まれる前記通信サービスの情報が示す前記通信サービスの実行可否および前記第２通信方式による接続可否を示す情報が含まれる応答メッセージを前記第１通信手段により送信する送信手段と、を有することを特徴とする。